(57)【特許請求の範囲】
【請求項１】
寝台制御ユニット、CTホスト及マンマシンインタラクションユニット、電源制御ユニット、高電圧制御ユニット、メイン制御ユニット及び走査ホストを含む静態リアルタイムCT画像形成システムにおいて、
前記走査ホストには、平行に設けられたリング状走査X線源と、リング状光子計数検出器とが含まれ、
前記リング状走査X線源は、緊密にリング状に配列した複数の走査X線源からなっており、前記リング状光子計数検出器は、緊密にリング状に配列した複数の光子計数検出器モジュールからなり、
前記光子計数検出器モジュールは、複数の光子計数検出器要素からなり、
前記光子計数検出器要素は、矩形に配列した複数光子計数検出器からなり、リードによって前記走査ホストにおけるマルチチャンネル光子計数検出器収集回路に接続され、
前記リング状走査X線源の各アライメント穴が前記光子計数検出器要素に一々対応し、かつ各前記アライメント穴から発されたナロービームX線が、ちょうど対応する前記光子計数検出器要素の収集範囲内に入っており、前記ナロービームX線の投影は、前記光子計数検出器要素の物理的寸法に適しており、
各前記走査X線源は順番にナロービームX線を発射し、被検体を透過した後に対応する光子計数検出器モジュールに投射し、前記光子計数検出器モジュールは、前記走査ホスト及び前記メイン制御ユニットによって対応する露光情報を前記CTホスト及びマンマシンインタラクションユニットに送り、前記CTホスト及びマンマシンインタラクションユニットで画像のリアルタイム再構成及びビジュアル再生を完了し、
走査X線源及びリング状光子計数検出器の作動タイミングを制御することにより、特定の瞬間に所定の領域のリング状光子計数検出器の画素のみが収集状態になり、他のリング状光子計数検出器の画素領域が応答しない状態になり、各瞬間に十分小さい領域だけでX線を露光させるように構成される、
を特徴とする静態リアルタイムCT画像形成システム。
【請求項２】
前記メイン制御ユニットにおいて、走査タイミングコントローラーを有し、異なる領域における一つ又は複数の前記走査X線源は前記走査タイミングコントローラーの制御によって同時又は時分割で作動することを特徴とする請求項1記載の静態リアルタイムCT画像形成システム。
【請求項３】
前記走査タイミングコントローラーの制御によって、前記走査X線源は、ナロービームX線を、ポイントバイポイントで又は１ポイントおきに飛び越して、ラインバイラインで又は１ラインおきに飛び越して発射することを特徴とする請求項2記載の静態リアルタイムCT画像形成システム。
【請求項４】
異なる領域における一つ又は複数の前記光子計数検出器モジュールは、走査タイミングコントローラーの制御によって同時又は時分割で作動し、ポイントバイポイント又は１ポイントおきに飛び越して、ラインバイラインで又は１ラインおきに飛び越して発射するナロービームX線を受けることを特徴とする請求項1〜請求項３のいずれか1項記載の静態リアルタイムCT画像形成システム。
【請求項５】
各光子計数検出器モジュールは、独立したデータ収集モジュール及びデータ伝送路を有し、GHz又はTHzの周波数でデータを伝送することを特徴とする請求項1記載の静態リアルタイムCT画像形成システム。  
【請求項６】
前記走査ホストは、さらに高速グリッドコントローラー、水平・垂直偏向コントローラー、光子計数検出器コントローラー、マルチチャンネル光子計数検出器収集回路、マルチチャンネルデータ伝送路及びデータ前処理モジュールを含み、
前記光子計数検出器モジュールは、収集したデータを初期で統合した後にマルチチャンネル光子計数検出器収集回路に入力し、マルチチャンネルデータ伝送路は、マルチチャンネル光子計数検出器の収集回路から送られたデータを受信し、データ前処理モジュールに送信することを特徴とする請求項1記載の静態リアルタイムCT画像形成システム。
【請求項７】
前記CTホスト及びマンマシンインタラクションユニットは、リアルタイム再構成システム及びメイン制御コンピューターを含み、前記リアルタイム再構成システム及びメイン制御コンピューターは、メイン制御ユニットにおけるマルチモード走査タイミングユニットに接続されており、
走査タイミングコントローラーは、前記マルチモード走査タイミングユニットに接続され、かつ水平・垂直偏向コントローラー、光子計数検出器コントローラーに接続されている請求項1、2又は６のいずれか1項記載の静態リアルタイムCT画像形成システム。
【請求項８】
前記データ前処理モジュールは、マルチチャンネルデータ伝送路から送られたデータを処理し、データに対してデータフレームの統合及び並び替えを行った後に、フレーム配列方式でメイン制御ユニットにおける高速データ伝送路に伝達し、前記高速データ伝送路を介してデータをリアルタイム再構成システム及メイン制御コンピューターに伝達することを特徴とする請求項６記載の静態リアルタイムCT画像形成システム。
【請求項９】
前記高電圧制御ユニットにおける直流高電圧発生器は、高速グリッドコントローラーに接続されており、前記高速グリッドコントローラーは、前記走査X線源のグリッド制御カソードに接続されており、グリッド制御カソードの電圧によって電子銃が電子ビームを発射するかを決定し、前記電子ビームは、前記水平・垂直偏向コントローラー及び偏向コイルの磁界の誘導によって進行路線が制御され、最後にアノードターゲット面に衝突してナロービームX線を発生することを特徴とする請求項６記載の静態リアルタイムCT画像形成システム。
【請求項１０】
前記リング状光子計数検出器は、リング状積分型の検出器によって代替されることを特徴とする請求項1〜９のいずれか1項記載の静態リアルタイムCT画像形成システム。
【請求項１１】
前記リング状走査X線源は、多焦点リング状X線源によって代替されることを特徴とする請求項1〜1０のいずれか1項記載の静態リアルタイムCT画像形成システム。
【請求項１２】
請求項1又は2記載の静態リアルタイムCT画像形成システムによって実現された静態リアルタイムCT画像形成制御方法において、
走査タイミングコントローラーは、異なる空間位置の光子計数検出器モジュール及びそれに対応するナロービームX線源が、異なる走査タイミングで作動するように制御するステップと、
前記走査X線源は、所定のタイミングに応じてナロービームX線を発射し、対応する前記光子計数検出器モジュールは、前記ナロービームX線が被検体を透過した後に光子計数検出器モジュールにおける露光情報を収集するステップと、
を含むことを特徴とする静態リアルタイムCT画像形成制御方法。
【請求項１３】
前記走査X線源を発射するタイミングは、ポイントバイポイント又はラインバイラインで発射するタイミングと、1ポイントおきに飛び越して又はラインバイラインで発射するタイミングと、１ポイント又は１ラインおきに飛び越して発射するタイミングとの何れか1つを含むことを特徴とする請求項1２記載の静態リアルタイムCT画像形成制御方法。
【発明の詳細な説明】
【技術分野】
【０００１】
本発明はCT画像形成システムに関し、特に、リング状走査X線源及びリング状光子計数検出器によって静態収集方式を実現するリアルタイムCT画像形成システムに関し、同時に該CT画像形成システムに基づいてリアルタイム画像形成を実現する方法に関するものであり、医療画像の技術分野に該当する。
【背景技術】
【０００２】
CT（Computed  Tomography）は、コンピューター断層走査技術の略称である。その画像形成の原理は次の通りである。X線ビーム及び感度の極高いX線検出器によって、人体のある部位を巡って逐層の断面走査を行い、X線検出器におけるフリッカ材料によって該層面を通したX線を受け、可視光に変換した後、光電変換器を介して電気信号に変換し、増幅した後、アナログ／デジタル変換によってデジタル信号に変換し、コンピューターに入力して処理する。コンピューターでは、選定した層面を幾つかの体積の同じ立方体に分けたものをボクセル（Voxel）と称する。逐層断面走査で取得した情報が計算された後、1ボクセルあたりのX線減衰係数又は吸収係数を取得し、マトリクスとして配列し、すなわち、ボクセルデジタルマトリクスとなる。ボクセルデジタルマトリクスにおけるデジタル情報を黒から白への異なる階調の小さいブロックに変換し、それを二次元投影で画素（Pixel）と称する。断層方式で配列することによって、CT画像が構成されている。
【０００３】
従来の医療用CT画像形成システムが1972年に誕生した。その発明者がノベル賞を受賞した。40年余りにわたって適用や実践を経て、当該技術が絶えず発展して向上した（具体的に、図1を参照してもよい。そのうち、Aは第一世代CT、Bは第二世代CT、Cは扇形ビーム検出器及びX線源の機械回転を採用した第三世代CT、DはX線球管及び発生器を機械回転で移動させた第四世代CT、Eは電子ビームを回転させた第五世代CT、Fは、ナロービームX線を順番に並列して発射させたものを採用した同静態リアルタイムCT画像形成システム、をそれぞれ示している）。例えば、早期のCT画像形成システムは単一光子計数検出器とナロービームX線源からなっており、平行ビームで複数角度の平行走査を行って再構成前のデータを取得し、ラドン変換（Radon Transform）等の再構成アルゴリズムによって三次元立体データを回復させた。このようなCT画像形成システムの欠点として、X線の利用率が低く、走査時間が長く、再構成の画像品質が良くない。その後、回転走査方式を採用した扇形ビームCT画像形成システムが現れた。図2に示されるように、該扇形ビームCT画像形成システムは、複数配列して弧状となるX線検出器と、大きな扇角を有し発散するX線源とからなっており、人体の全体範囲をカバーでき、1回360度の走査で1つの層面の三次元再構成を完了し、画像形成速度を大いに引き上げることができる。近年、コーンビーム走査方式を採用したCT画像形成システムがさらに現れた。該コーンビームCT画像形成システムは、プレーンアレイ検出器によってリニアアレイ検出器を代替し、コーンビーム走査によって扇形ビーム走査を代替している。よって、X線利用率がより高くなり、所要の走査時間がより短くなり、各方向に均一で高精度の空間解像度を得ることができる。しかし、コーンビームCT画像形成システムは、画像形成時に散乱線がひどくなり、小さい画素であれば扇形ビームCT画像形成システムと同じなSN比を有することが困難である。これらは、画像品質を向上させる主な障害となる。現在、それは、小さい身体部位だけに対して好適に適用している。
【０００４】
X線検出器の製造技術が絶えず向上するのにつれて、1つの大きな扇角の範囲内に大量のX線検出器要素を集積させてマルチスライスのCT検出器を構成している。1回の回転収集から64列〜320列及びそれ以上のデータが取得された。より多い物体の吸収特性情報を取得するために、CT画像形成システムは、複数エネルギーレベルを有するX線源を採用して、人体組織が異なるエネルギーレベルのX線を吸収する場合のデータを取得し、エネルギーキャリブレーションを有するCT画像が得られる。しかし、従来のCT画像形成システムには、画像形成速度が迅速ではなく、モーションアーチファクトなどがあるという問題がある。例えば、医学臨床中、1回転周期内に完全な心臓再構成画像を取得することが望ましい。これは、CT回転速度を毎秒2回転及びそれ以上に引き上げる必要がある。X線源とX線検出器が高速回転構成に設けられ、作動時に毎秒2回転及びより急速な速度で運行し、X線源、高電圧発生器等の部分が大きな遠心力を受けているため、従来の製造技術から突破しかねる壁となっている。
【０００５】
公開番号がCN102793554Aの中国特許出願では、ドイツのシーメンズ様が、2つの角度がずれて配置される検出器を有するデュアルソースCTシステムを提案した。そのうち、第1検出器は、1組の積分型検出器素子を有するのに対して、第2検出器は、他の1組の計数検出器素子を有する。一方、図3Aと図3Bを参照して、X線の強度を測定する場合に、検出器を高速回転させる場合、微小な区間で変位する時間的な間隔において、受信した電気信号は、増幅や蓄積を経てこの角度の信号データとしている。検出器の画素が高速回転の状態にあり、その信号が微小な区間で変位する経路における信号を積分させたものである。空間識別能力にも隘路がある。そして、回転速度と矛盾するようになる。回転速度が速いほど、単位時間内の画素の変位が大きくなるため、異なる位置における信号の重畳クロストークの度合い（即ちモーションスミア）も酷くなる。他方、検出器の層数が絶えず増加するほど、X線源から発射したX線ビームも広くなり、ブロードビームX線の散乱線も酷くなる。これにより、画像がぼけた。それに加え、デュアルソースCTシステムが2回にわたり又は同時に人体を照射する必要があるため、人体が受けた放射線量もますます高くなり、人体が1年間で許容可能な最大な安全線量を大幅に超えている。
【０００６】
また、上記技術案及び現在の常用の扇形ビームマルチスライスのヘリカルCTに用いられたX線検出器は、主にエネルギー積分に基づいて作動している。このようなX線検出器は、一つのX光子あたりのエネルギー・スペクトルを識別することができないため、エネルギー・スペクトル情報が失われた。後者は、臨床で画像を判別することにとって特に重要である。
【発明の概要】
【０００７】
従来技術の欠点について、本発明が解決しようとする前提となる技術課題は、静態リアルタイムCT画像形成システムを提供している。
本発明が解決しようとする別の技術課題は、該CT画像形成システムに基づいてリアルタイム画像形成を実現する方法を提供している。
上記発明を実現するために、本発明は以下の技術案を採用している。
【０００８】
寝台制御ユニット、CTホスト及マンマシンインタラクションユニット、電源制御ユニット、高電圧制御ユニット、メイン制御ユニット及び走査ホストを含む静態リアルタイムCT画像形成システムにおいて、
前記走査ホストには、平行に設けられたリング状走査X線源と、リング状光子計数検出器とが含まれており、
【０００９】
前記リング状走査X線源は、緊密にリング状に配列した複数の走査X線源からなっており、前記リング状光子計数検出器は、緊密にリング状に配列した複数の光子計数検出器モジュールからなっており、
【００１０】
各前記走査X線源は順番にナロービームX線を発射し、被検体を透過した後に対応する光子計数検出器モジュールに投射し、前記光子計数検出器モジュールは、前記走査ホスト及び前記メイン制御ユニットによって対応する露光情報を前記CTホスト及びマンマシンインタラクションユニットに送り、前記CTホスト及びマンマシンインタラクションユニットで画像のリアルタイム再構成及びビジュアル再生を完了する静態リアルタイムCT画像形成システム。
【００１１】
前記メイン制御ユニットにおいて、走査タイミングコントローラーを有し、異なる領域における一つ又は複数の前記走査X線源は前記走査タイミングコントローラーの制御によって同時又は或時分割で作動することが好ましい。
【００１２】
前記走査タイミングコントローラーの制御によって、前記走査X線源は、ナロービームX線を、ポイントバイポイントで又は１ポイントおきに飛び越して、ラインバイラインで又は１ラインおきに飛び越して発射することが好ましい。
前記光子計数検出器モジュールは、複数の光子計数検出器要素からなっており、
【００１３】
前記光子計数検出器要素は、矩形に配列した複数光子計数検出器からなっており、リードによって前記走査ホストにおけるマルチチャンネル光子計数検出器収集回路に接続されていることが好ましい。
【００１４】
異なる領域における一つ又は複数の前記光子計数検出器モジュールは、走査タイミングコントローラーの制御によって同時又は時分割で作動し、ポイントバイポイント又は１ポイントおきに飛び越して、ラインバイラインで又は１ラインおきに飛び越して発射するナロービームX線を受けることが好ましい。
各光子計数検出器モジュールは、独立したデータ収集モジュール及びデータ伝送路を有し、GHz又はTHzの周波数でデータを伝送することが好ましい。
【００１５】
前記走査X線源の各アライメント穴が前記光子計数検出器モジュールに一々対応し、かつ各前記アライメント穴から発されたナロービームX線が、ちょうど対応する前記光子計数検出器モジュールの収集範囲内に入っており、前記ナロービームX線の投影は、前記光子計数検出器モジュールの物理的寸法に適していることが好ましい。
【００１６】
前記走査ホストは、さらに高速グリッドコントローラー、水平・垂直偏向コントローラー、光子計数検出器コントローラー、マルチチャンネル光子計数検出器収集回路、マルチチャンネルデータ伝送路及びデータ前処理モジュールを含み、
【００１７】
前記光子計数検出器モジュールは、収集したデータを初期で統合した後にマルチチャンネル光子計数検出器収集回路に入力し、マルチチャンネルデータ伝送路は、マルチチャンネル光子計数検出器の収集回路から送られたデータを受信し、データ前処理モジュールに送信することが好ましい。
【００１８】
前記CTホスト及びマンマシンインタラクションユニットは、リアルタイム再構成システム及びメイン制御コンピューターを含み、前記リアルタイム再構成システム及びメイン制御コンピューターは、メイン制御ユニットにおけるマルチモード走査タイミングユニットに接続されており、
【００１９】
走査タイミングコントローラーは、前記マルチモード走査タイミングユニットに接続され、かつ水平・垂直偏向コントローラー、光子計数検出器コントローラーに接続されていることが好ましい。
【００２０】
前記データ前処理モジュールは、マルチチャンネルデータ伝送路から送られたデータを処理し、データに対してデータフレームの統合及び並び替えを行った後に、フレーム配列方式でメイン制御ユニットにおける高速データ伝送路に伝達し、前記高速データ伝送路を介してデータをリアルタイム再構成システム及メイン制御コンピューターに伝達することが好ましい。
【００２１】
前記高電圧制御ユニットにおける直流高電圧発生器は、高速グリッドコントローラーに接続されており、前記高速グリッドコントローラーは、前記走査X線源のグリッド制御カソードに接続されており、グリッド制御カソードの電圧によって電子銃が電子ビームを発射するかを決定し、前記電子ビームは、前記水平・垂直偏向コントローラー及び偏向コイルの磁界の誘導によって進行路線が制御され、最後にアノードターゲット面に衝突してナロービームX線を発生することが好ましい。
前記光子計数検出器は、積分型の検出器によって代替されることが好ましい。
【００２２】
前記リング状走査X線源は、多焦点リング状X線源によって代替されることが好ましい。
【００２３】
上記の静態リアルタイムCT画像形成システムによって実現された静態リアルタイムCT画像形成制御方法において、
【００２４】
走査タイミングコントローラーは、異なる空間位置の光子計数検出器モジュール及びそれに対応するナロービームX線源が、異なる走査タイミングで作動するように制御するステップと、
【００２５】
前記走査X線源は、所定のタイミングに応じてナロービームX線を発射し、対応する前記光子計数検出器モジュールは、前記ナロービームX線が被検体を透過した後に光子計数検出器モジュールにおける露光情報を収集するステップと、
を含む静態リアルタイムCT画像形成制御方法。
【００２６】
前記走査X線源を発射するタイミングは、ポイントバイポイント又はラインバイラインで発射するタイミングと、1ポイントおきに飛び越して又はラインバイラインで発射するタイミングと、１ポイント又は１ラインおきに飛び越して発射するタイミングとの何れか1つを含むことが好ましい。
従来技術と比べて、本発明は以下の技術特徴を有する。
【００２７】
1.伝統的な機械回転収集方式を静態収集方式として変更し、順番に投射位置を切り替えるように走査X線源を制御し、急速回転走査のデータ収集と等価なものとし、走査速度を大幅に引き上げることができる。
【００２８】
2.機械回転による遠心力の影響を回避し、機械製造の難しさが大いに低下し、高速回転時の信号スミア効果及び重畳クロストークの度合いを低下させることができる。
【００２９】
3.領域別にデータ収集を実現し、画像形成の精度及び速度を顕著に引き上げ、患者がより安全な線量でより精確な診断を受けるようにすることができる。
【００３０】
4.エネルギー・スペクトル信号の収集を実現し、１つの単一光子あたりのエネルギー・スペクトルを測定することができる。被検体の物質構成情報を取得し、被検体の原子番号を推定することができる。
【００３１】
5.ナロービームX線を小さい光子計数検出器の面積に投射するため、散乱線の信号への干渉を大幅に低下させ、低い線量で高いSN比を取得することができ、低い線量で画像を形成する効率の高い解決案となっている。
【図面の簡単な説明】
【００３２】
【図１】は、従来技術の以前の5つの世代のCT画像形成システムと同静態リアルタイムCT画像形成システムとの構成の対比の概略図である。
【図２】は、典型的な扇形ビームCT画像形成システムの概略構成図である。
【図３Ａ】は、CT画像形成システムが高速回転時にモーションスミアを発生する概略図である。
【図３Ｂ】は、CT画像形成システムが高速回転時にモーションスミアを発生する概略図である。
【図４】は、本発明におけるリング状走査X線源とリング状光子計数検出器との構成の関係の概略図である。
【図５】は、本発明におけるリング状走査X線源の概略構成図である。
【図６】は、本発明における１つの走査X線源の内部の概略構成図である。
【図７】は、本発明における１つの走査X線源の領域配列と走査順番の概略図である。
【図８】は、本発明におけるリング状X線源の概略構成図である。
【図９】は、本発明におけるリング状光子計数検出器の概略構成図である。
【図１０】は、本発明における光子計数検出器モジュールの概略構成図である。
【図１１】は、本発明における光子計数検出器要素の概略構成図である。
【図１２】は、本発明における静態リアルタイムCT画像形成システムの走査リングの概略構成図である。
【図１３】は、本発明における静態リアルタイムCT画像形成システムの構成ブロック図である。
【図１４】は、本発明において静態リアルタイムCT画像形成システムがデータ並列処理を実現するフローチャートである。
【図１５】は、本発明におけるデータ処理流程及びデータ再構成過程の概略図である。
【図１６】は、本発明においてビジュアル画像プロセッサがデータ処理を実現する概略図である。
【図１７】は、本発明においてナロービームX線ビームが走査するカバー過程の概略図である。
【図１８】は、本発明においてナロービームX線ビームが並列走査を時分割で行うカバー過程の概略図である。
【図１９】は、X線ビームの投影面積と散乱線分布との関係の概略図である。
【図２０Ａ】は、本発明において走査タイミングコントローラーが発生した複数のタイミングの概略図である。
【図２０Ｂ】は、本発明において走査タイミングコントローラーが発生した複数のタイミングの概略図である。
【図２０Ｃ】は、本発明において走査タイミングコントローラーが発生した複数のタイミングの概略図である。
【図２１】図21A、図21B、図21C及び図21Dは、それぞれ本発明において各走査タイミング及びレート算出の概略図。
【発明を実施するための形態】
【００３３】
以下、本発明の技術内容について、添付図面および具体的な実施例に基づいて、より詳細に説明する。
【００３４】
図4に示されるように、本発明から提供される静態リアルタイムCT画像形成システムは、主に平行に設けられたリング状走査X線源（リング状線源と略称）とリング状光子計数検出器（リング状検出器と略称）とを含む。リング状走査X線源とリング状光子計数検出器（以下、さらに説明する）が同一の平面に位置しているものの、所在の平面同士が互いに平行になっている。それらリング状構成同士が同心円の関係にあり、つまり、2つのリング状構成の円心をそれぞれ通過する法線が互いに重なっている。このような構成の設計によれば、走査X線源から光子計数検出器に向けたX線ビームが重畳構成により遮断されたことを回避し、かつ各走査X線源から発されるナロービームX線が1つの光子計数検出器モジュールに投影することができる。平行に設けられた走査X線源が的確に対応する光子計数検出器に向けていることを確保するために、走査X線源及び／又は光子計数検出器が一定の傾斜角度を有する。具体的な角度の選択は、当業者が把握可能な通常の技術手段である。ここで、詳細に説明しない。
【００３５】
図5にはリング状走査X線源の具体的な構成が示されている。そのうち、該リング状走査X線源は複数の走査X線源からなっている。複数の走査X線源は互いに緊密にリング状に配列され、リング状構成を形成する。本発明では、リング状走査X線源は、伝統的な単焦点X線源から多焦点X線源に変更され、伝統的なブロードビームX線からナロービームX線に変更されている。一つの走査X線源は多くのX線発射焦点を十分に有する。各走査X線源のアライメント穴はそれぞれ、複数の光子計数検出器モジュールが配列するように構成されたリング状光子計数検出器に向けている。各走査X線源はそれぞれ、細いX線ビームで各光子計数検出器モジュールに向けており、複雑なタイミングで発射することができる。
【００３６】
図6には1つの走査X線源の基本構成が示されている。それは、電子銃、集束アノード、加速アノード、偏向コイル、高電圧アノード、ベリリウム窓及び真空チャンバ及びアライメント穴を含む。そのうち、各電子銃は、フィラメント、グリッド制御カソード及び焦点カソード等の構成からなっている。電子ビームの飛翔軌道を真空チャンバ内に完了させるように、フィラメント、グリッド制御カソード、集束アノード、加速アノード及び高電圧アノード（例えばタングステンターゲット）等は真空チャンバ内に設けられている。該走査X線源の作動手順が次の通りである。まず、フィラメントによって焦点カソードを加熱し、カソードが熱を受けた後に自由電子を発し、グリッド制御カソード電圧が焦点カソード電圧を上回る時に電子の通過を許容し、グリッド制御カソード電圧が焦点カソード電圧を下回る時に電子の通過を阻止する。グリッド制御カソードの正バイアスがオンとなる時に、電子は集束アノードを通過する。集束アノードによって電子の集束程度が調整された。加速アノードによって、集束された電子が加速されている。偏向コイルは、加速された電子ビームの方向を調整する。該偏向コイルは水平偏向コイルと垂直偏向コイルとを含み、電子ビームのX方向及びY方向における方向を調整する。最後に、電子ビームは高電圧アノードのターゲット面に衝突する。該高電圧アノードは、タングステン又は他の高原子番号の金属材料によって作製されている。電子ビームが高電圧アノードにおける金属材料に衝突した時に、電子が急に減速されることにより、X線を発生させることができる。X線がベリリウム窓からアライメント穴に入る。アライメント穴はX線ビームを規制して調整し、極細いナロービームX線を形成して光子計数検出器へ投射する。各電子銃では、アライメント穴の数は、M列N行（M、Nは正整数）である。
【００３７】
図7には1つの走査X線源の領域配列及び走査順番のモード図が示されている。本発明では、各走査X線源に複数の光子計数検出器モジュールが対応している。そのうち、各走査X線源は、複数の領域が分けられている。光子計数検出器モジュール毎に複数の光子計数検出器要素が含まれている。走査X線源の各領域において、焦点のアライメント方向の全てが同一の光子計数検出器要素に向けている。例えば、図7における走査X線源の領域Aが光子計数検出器要素Aに向け、領域Bが光子計数検出器要素Bに向け……という順番であるものとする。走査X線源は走査タイミングコントローラーからの命令に応じて、ポイントバイポイントで又は１ポイントおきに飛び越して発射してもよいし、ラインバイラインで又は1ラインおきに飛び越して作動してもよい。1つの走査X線源の一つの領域における多焦点X線ビームが順番に特定の光子計数検出器要素に投射された場合に、この組の多焦点X線ビームに応じて該光子計数検出器要素が複数組の投影データを取得した。これら投影データへの処理によれば、このナロービームによりカバーされた領域内の立体的な再構成が完了することができる。複数の走査X線源の複数領域が並列して対応する光子計数検出器要素に投射する時に、これら光子計数検出器要素も並列して複数組の投影データを取得すると同時に、より多くのナロービームの立体的な再構成が完了することができる。円周に分布する光子計数検出器要素の全ては、1つの短時間周期内（フレーム周期という）に、対応する走査X線源焦点から発射された投影射線束への収集及び再構成が完了することができる。そのため、1つのフレーム周期が完了した後、光子計数検出器要素の全てが並列して対応する領域のナロービーム再構成を完了する。これらナロービーム再構成の累積が1つの完全ブロックの走査及び再構成と同等である。理論的に分かるように、走査検出器の全てが並列して作動し、各光子検出器要素も並列して収集するときに、1フレーム周期の時間は、一つの走査射線源領域の焦点からの発射に必要な時間まで短縮されてもよく、つまり、十数又は数十ミリ秒で1フレーム周期が完了されてもよい。
【００３８】
本発明から提供される走査X線源も多焦点リング状X線源によって代替されてもよい。図8に示されるように、該リング状X線源は、複数のフィラメントが配列するように形成されている。そのうち、複数のカソード同士が繋いでリング状（即ちリング状カソード）になる。複数のフィラメントがリング状カソードの外側に設けられている。リング状カソードの内側にフィラメントのそれぞれに対応する複数の制御グリッドが設けられている。複数の制御グリッドも順番で配列してリング状になり、カソードにより形成されたリング状と同心円である。リング状グリッドの内部には、リング状のアノードターゲット面はさらに設けられ、カソードにより形成されたリング状と同心円でもある。制御グリッドのバイアスが負である場合、カソード電子はアノードターゲット面に流れない。制御グリッドのバイアスが正である場合、カソード電子は、電界によって高速度でアノードターゲット面に流れていく。電子がアノードターゲット面に衝突した場合、アノードターゲット面には光子計数検出器要素に向けるナロービームX線が形成される。
【００３９】
上記リング状走査X線源の露光情報を精確に収集するために、本発明はさらにリング状光子計数検出器を提供している。図9にはリング状光子計数検出器の基本構成が示されている。該リング状光子計数検出器は複数の光子計数検出器モジュールからなっている。複数のコントローラーモジュール同士が繋いでリング状になる。各光子計数検出器モジュールは複数の光子計数検出器要素からなっている。光子計数検出器モジュールは、対応する走査X線源と同期に作動してもよいし、走査タイミングコントローラーの命令に基づいて対応する走査X線源と交互に作動してもよい。本発明では、採用した光子計数検出器要素は、高い単一光子X線パルス信号の検出感度を有し、単一光子X線パルスに対してイベントの検出、計数、エネルギーの識別が可能となると同時に、電子回路ノイズの信号収集への影響を低減することができる。各光子計数検出器モジュールは独立したデータ収集モジュールとデータ伝送路を有する。モジュール内において、データの初期処理及び並び替えが行われてもよいし、ナロービームX線のデータ再構成が行われてもよい。光子計数検出器モジュールのデータ収集モジュール及びデータ伝送路を統括的に管理することによって、各光子計数検出器要素は並列してX線ビームに対して単一光子を検出し、データを光子計数検出器モジュールに集める。データ収集モジュールによって並び替えられ又は簡単に再構成されたデータの全ては、データ伝送路を介してデータプリプロセッサに伝送される。データ収集モジュールの全てからのデータ、及びデータ収集モジュールにおいて並び替えられ又は簡単に再構成されたデータは、データプリプロセッサでデータフレームとしてリアルタイムに再構成されてから、メインプロセッサへ送信される。上記データ伝送中、データプリプロセッサによって前処理されたデータは、データ伝送路を介してメインプロセッサへ伝送され、通常、周波数GHz又はTHzで高速データ伝送を行うため、それに合わせて複数チャンネル並列の光ファイバ伝送路又はGigaE ケーブルが必要となる。
【００４０】
本発明では、リング状光子計数検出器は、0〜360°の円周を複数の領域に分割することができる。タイミング制御によって、それら領域に対してそれぞれ同期にデータ収集を行い、一つの円周断面における全ての信号の収集速度を大いに引き上げ、リアルタイム画像再構成が可能となる。したがって、本発明では、機械回転の特性への要求に基づいて、伝統的なCT画像形成システムが回転の順に応じて投影角度0°から投影角度360°までの順で収集データを取得する必要があるという欠点が根本的になくされた。本発明では、収集速度がどの程度に引き上げられたとしても、各光子計数検出器要素の対応する収集範囲が一定で、物理的寸法に対応している。また、同静態リアルタイムCT画像形成システムは、0〜360°の順でデータを収集するとは限らず、臨床運用の要求をより良く満たすために、実際の需要に応じて多様なデータ収集案を編集することができる。特に、一部の領域の投影の収集密度は、非重要領域の投影の収集密度と異なってもよいため、X線線量を節約するとと同時に重要な細部のデータの完全性を確保することができる。
【００４１】
図10には一つの光子計数検出器モジュールの構成図が示されている。各光子計数検出器モジュールは複数の光子計数検出器要素からなっている。各光子計数検出器要素はX光子感材（テルル化カドミウム亜鉛、単結晶シリコン、砒化ガリウム、アモルファスセレン等）とそれにバイディングされたアナログ・デジタル混在集成回路とからなっている。アナログ・デジタル混在集成回路はCMOSデバイス等によって作製されている。図11には光子計数検出器要素の基本構成が示されている。光子計数検出器要素は、PCBサブボード、光子計数IC、X光子検出層からなっている。交換やメンテナンスの便宜を図るために、PCBサブボードに接続ピンが付いている。光子計数IC間にシリコン基板のビアホールがある。検出層画素電極はマイクロボールを介して光子計数ICとバイディングされている。光子検出層がテルル化カドミウム亜鉛、単結晶シリコン、砒化ガリウム、アモルファスセレン等の光子感材によって作製されている。各光子計数検出器要素の対応する収集範囲が一定で、物理的寸法に対応している。固定位置における信号を精確に収集するため、伝統的なCT画像形成システムでは、回転速度の引き上げによって単位時間内の変位範囲が過大になり、モーションスミア現象が発生してしまうという問題が回避できる。
【００４２】
各光子計数検出器要素はM行とN列からなっているので、M*N（M、Nはそれぞれ正整数）個の画素を有する（アライメント穴の分布方式に対応）。各画素は、イベント検出、信号の増幅、エネルギーの識別、光子の計数等の完全な機能を有する。したがって、光子計数検出器は、エネルギー識別能力を有するだけでなく、より高い空間識別能力を有する。各画素の寸法は、1〜1000umに設計されてもよく、画素が小いほど空間識別能力が高くなり、同時に単位面積におけるデータ量も大きくなる（それに応じてデータ収集及び再構成の速度の低下を犠牲にしている）。本発明の1実施例では、光子計数検出器要素は、330*330umの画素を採用することが好ましい。このように全身走査と局部臓器（例えば冠状動脈 ）の精確な走査への要求を満たすことができる。光子計数検出器要素を採用すると、同時に吸収信号の強度のデータとエネルギー分布のデータを取得することができる。そのうち、吸収信号の強度のデータは、CT値の階調や次元に応じた三次元の立体画像及びその種々のビジュアル効果を再構成することができる。エネルギー分布のデータは、各ボクセルの位置における物質の原子番号を逆方向で推測し、エネルギー・スペクトルの次元の識別能力と画像パレットを形成することができる。
【００４３】
上記リング状走査X線源とリング状光子計数検出器に基づいて、本発明は、さらに静態リアルタイムCT画像形成システムを提供している。図12には、該静態リアルタイムCT画像形成システムの具体的な構成が示されている。該静態リアルタイムCT画像形成システムは主に複数の走査X線源からなるリング状走査X線源と、複数の光子計数検出器モジュールからなるリング状光子計数検出器とによって構成されている。同静態リアルタイムCT画像形成システムに回転部品がないので、X線ビームの高速回転走査を実現することができる。走査中、X線発射焦点の全てと光子計数検出器の位置が一定であるので、モーションアーチファクトとモーションスミア現象が根本的になくされた。また、ナロービームX線を時分割で発射すると、散乱線による影響をさらに低減し、エネルギー識別収集と高速リアルタイム再構成を実現することができる。
【００４４】
図13には同静態リアルタイムCT画像形成システムの機械構造が示されており、具体的に、寝台制御ユニット、CTホスト及びマンマシンインタラクションユニット、電源制御ユニット、高電圧制御ユニット、メイン制御ユニットと走査ホストを含む。そのうち、走査ホストは、平行に設けられたリング状走査X線源とリング状光子計数検出器以外に、さらに、高速グリッドコントローラー、水平・垂直偏向コントローラー、光子計数検出器コントローラー、マルチチャンネル光子計数検出器収集回路、マルチチャンネルデータ伝送路とデータ前処理モジュールを含む。メイン制御ユニットは、走査タイミングコントローラー、マルチモード走査タイミングユニットと高速データ伝送路を含む。CTホスト及びマンマシンインタラクションユニットは、リアルタイム再構成システム及びメイン制御コンピューター、ビジュアル画像プロセッサ、ディスプレイ、リアルタイム再構成ディスプレイとマルチモードディスプレイを含む。寝台制御ユニットは走査寝台モーション制御モジュールを含む。高電圧制御ユニットは直流高電圧発生器を含む。
【００４５】
直流高電圧発生器はアノードタングステンターゲットに接続されている。直流高電圧発生器は、直流高電圧の電気信号を発生して走査X線源のアノードタングステンターゲットに伝送し、電子銃の焦点カソードとアノードタングステンターゲットとの間に高電圧電位を形成させる。高速グリッドコントローラーは走査X線源のグリッド制御カソードに接続され、グリッド制御カソードの電圧によって、電子銃が電子ビームを発射するかを決定する。後者は、水平・垂直偏向コントローラーと偏向コイルの磁界による誘導によって進行経路が制御され、最後に、アノードタングステンターゲットに衝突してナロービームX線を発生する。リアルタイム再構成システム及びメイン制御コンピューターはマルチモード走査タイミングユニットに接続され、走査タイミングコントローラーはマルチモード走査タイミングユニットに接続され、それぞれ、水平・垂直偏向コントローラーや、光子計数検出器コントローラーに接続されている。本発明における走査タイミングコントローラーは従来のCRTディスプレイにおける走査タイミング制御回路と類似しているが、グリッド制御の設計を増加するという点で異なっているので、時分割走査を実現して散熱を減少し、時間が短かい（一般、0.1〜20ミリ秒である）高電圧パルスを形成し、高品質のナロービームX線を得ることができる。水平・垂直偏向コントローラーは走査X線源の偏向コイルに接続されている。光子計数検出器コントローラーは、それぞれ各光子計数検出器モジュールに接続されている。光子計数検出器コントローラーはさらにマルチチャンネル光子計数検出器の収集回路に接続されている。光子計数検出器モジュールは、収集したデータを初期で統合してからマルチチャンネル光子計数検出器の収集回路に伝送する。マルチチャンネルデータ伝送路は、マルチチャンネル光子計数検出器の収集回路から送られたデータを受信し、データ前処理モジュールに送信する。データ前処理モジュールは、マルチチャンネルデータ伝送路から送られたデータを処理し、データに対してデータフレームの統合及び並び替えを行った後に、フレームを配列するように高速データ伝送路に伝達し、高速データ伝送路を介してデータをリアルタイム再構成システム及びメイン制御コンピューターに伝達する。走査寝台モーション制御モジュールは、メイン制御ユニットのマルチモード走査タイミングユニットに接続されている。リアルタイム再構成システム及びメイン制御コンピューターはデータで画像再構成をし、再構成した画像をビジュアル画像プロセッサによってディスプレイ、リアルタイム再構成ディスプレイとマルチモードディスプレイに伝達して表示させる。
【００４６】
図14には走査ホスト、メイン制御ユニット、CTホストによって構成されたデータ並列処理のフローチャートが示されている。走査ホストは、複数組の光子計数検出器モジュール、複数組の走査X線源、高速グリッドコントローラー、水平・垂直偏向コントローラー、光子検出器コントローラー、マルチチャンネル検出器収集回路、複数組のデータ収集チャネルとデータ前処理モジュールからなっている。各光子計数検出器モジュールも複数の光子計数検出器要素からなっている。前述したように、メイン制御ユニットは、走査タイミングコントローラー以及高速データ伝送路等を含む。CTホストは、メイン制御コンピューター、リアルタイム再構成システム、ビジュアルプロセッサからなっている。メイン制御コンピューターのデータ処理機能は、データ並列再構成を行うメインプロセッサと、ボクセルデータを記憶した記憶装置とによって完了される。走査ホストには、複数の光子計数検出器モジュール01〜XX（XXは正整数、以下は同じ）が含まれている。各光子計数検出器モジュールも複数の光子計数検出器要素を含む。例えば、光子計数検出器モジュール01は光子計数検出器要素01〜XXを含む。本発明の好適な実施例では、各光子計数検出器モジュールは、4*8＝32個の光子計数検出器要素からなっている。各光子計数検出器要素は、32*32個の光子計数検出器画素からなっている。各画素の寸法は400*400umである。各光子計数検出器モジュールの外形寸法は51.2mm*102.4mmである。リング状光子計数検出器は、合計50個の光子計数検出器モジュールからなっている。形成したリング状光子計数検出器は、直径が約800mm、幅が102.4mmである。データ収集チャネルが複数ある。各データ収集チャネルは、1つ又は複数の光子計数検出器モジュールに対応している。複数の光子計数検出器モジュール01〜XXによって収集されたデータは、データ収集チャネル01〜XXを介して走査ホストにおけるデータ前処理モジュールに伝送される。データ前処理モジュールはGPU、ASIC又はDSPからなり、データ収集チャネルから送られたオリジナル画素露光情報、又は並び替えや補正が行われたデータに対してフレームデータの前処理を行い、フレームデータブロックを形成し、メイン制御ユニットにおける高速データ並列伝送路を介してCTホストの並列再構成モジュールに伝送する。並列再構成モジュールは、複数の並列GPUによって構成されてもよいし、ASICによって構成されてもよい。再構成モジュールは、アップロードしたフレーム又はブロックデータをボクセルデータとして再構成する。上記過程がマルチチャンネル並列処理であるため、再構成速度は、リアルタイムのビジュアル表示のニーズを満たすことができる。
【００４７】
図15に示されるように、光子検出器コントローラーは、走査タイミングコントローラーの制御によって、収集命令チャネルを介して各光子計数検出器モジュールに収集命令を送信し、画素露光情報を収集する。そのうち、データ収集モジュールの全てが並列して収集命令を同期で受け付け、収集したフレームデータが同一のフレーム周期のデータとなることを確保するように、別々に設けられた収集命令チャネルは、マルチチャネルのワイドデジットバスである。収集した画素露光情報データについて、まず、光子計数検出器要素のレベルで画素情報を統合し、次に光子計数検出器モジュールが光子計数検出器要素のデータに対してデータの接続及びモジュールレベルでの画素データ補正を含む二回目の統合及び処理を行い、最後に統合を完了し又は初期で再構成したナロービームX線データは、光子計数検出器モジュールによって並列光ファイバデータ伝送路を介してデータプリプロセッサに送信された。データプリプロセッサは先に、異なる光子計数検出器モジュールからのナロービームX線データに対して、フレームデータの並び替え、フレームデータの補正、フレームデータのバッファリング及びフレームデータのリアルタイムの出力等を含むフレームデータの前処理を行う。リアルタイムに出力したフレームデータはリアルタイム再構成システム及びメイン制御コンピューターに送られた。そのうち、データプリプロセッサは、複数の光子計数検出器モジュールからのデータを完全なデータフレーム及びデータブロックとなるように処理し、フレーム及びブロック形式でメイン制御コンピューターに送信した。ここでいうデータフレームとは、完全な360°の範囲をカバーしたデータ層をいう。データブロックとは、複数の上記データ層からなる複数組をいう。このようなデータ前処理メカニズムは、データ処理ジョブの一部をコンピューターに送信するまでに事前に初期処理を完了し、各種の収集順番で取得したデータをフレームデータ又はブロックデータの形式としてコンパイルし、標準的なフレームデータ構成及びブロックデータ構成としてメイン制御コンピューターで処理することを目的としている。フレームデータ又はブロックデータに関する前処理機能の一部をデータプリプロセッサで完了してもよいし、或いはメイン制御コンピューターに送信した後にこの部分のデータ処理をメイン制御コンピューターで完了してもよいという場合がある。この部分の前処理が、1画素に対するオフセット補正、ハードニング補正、フレームデータのフラットフィールド補正、フレームデータ又はブロックデータの幾何補正、時刻ドリフト補正、エネルギー補正、散乱線抑制等を含むが、これに限定されない。
【００４８】
従来技術のマルチスライスのヘリカルCTは、X線源が継続的に回転する必要があるため、回転中、スリップリングコンダクト方式又は無線伝送方式によってデータを伝送するコンピューターが必要となる。従来のマルチスライスのヘリカルCTと比べて、同静態リアルタイムCT画像形成システムでは、速度及び信頼性のより良い光ファイバでデータを並列伝送することが実現され、伝送データのトラフィック量が増大され、データ信号の信頼性が向上し、システム構成がさらにはっきりとして合理的なものになり、製品の信頼性および一致性がより良くなる。このように、三次元再構成アルゴリズムのリアルタイム性が効率よく確保された。
【００４９】
図16に示されるように、並列再構成モジュールは、再構成して完了したボクセルデータをビジュアル画像プロセッサに送り、複数種類の既存のビジュアルアルゴリズムによって、観察者に各々の図面のデータを提供し、各々の図面が、リアルタイム投影二次元図、リアルタイム3Dカラーレンダリング図、内視鏡シミュレーション図、表面レンダリング図、リアルタイムマルチウィンドウ階調吸収図、リアルタイムエネルギーパレット図及びリアルタイムDSA（Digital  Subtraction  Angiography、デジタルサブトラクション血管造影）図を含むが、これらに限定されない。一般的に、ビジュアル画像の提供速度は、毎秒25個のフレーム又はブロックに達し、理論的に毎秒1024フレーム（即ち1024fps）又はブロック以上に達することができ、人間の目で動態画像を観察する場合のニーズを十分に満たすことができる。同静態リアルタイムCT画像形成システムを治療介入手術に適用する可能性が大いに高まった。
【００５０】
図17には、リング状走査X線源における幾つかの走査X線源から光子計数検出器モジュールに向けてナロービームX線を発することが示されている。該ナロービームX線は、人体を通過してからX線源に対向する光子計数検出器モジュールにX線の投影を形成する。これら投影データが人体の三次元画像の再構成に用いられてもよい。
【００５１】
図18に示されるように、1組の走査X線源を時分割で制御し、一定の順でナロービームX線を発射し、走査X線源に対応する光子計数検出器モジュールを制御し、対応するナロービームX線が人体を透過した後に光子計数検出器モジュールにおける露光情報をそれぞれ収集する。複数のナロービームX線は、1組の扇形ビームX線を構成し、被検体をカバーしてしまうことが可能となる。走査タイミングコントローラーの制御によって、各ナロービームX線は、時分割で発射することができる。このようなナロービームX線が順番で交互に露光する場合は、散乱線の画像形成への影響を大幅に低減することができ、伝統的な扇形ビームCT画像形成システムよりも高いSN比と高い高周波数空間解像度を有する。
【００５２】
走査タイミングコントローラーは、異なる空間位置の光子計数検出器及びそれに対応するナロービームX線源が異なる手順で作動するように制御してもよく、複数の種類の異なるビーム投射の流れを形成し、高速のナロービーム回転モード、高速の扇形ビーム回転モード、領域別並列回転モード、及び非回転の他の走査タイミング制御モードを形成することができる。これら異なる走査タイミング制御モードは、同静態リアルタイムCT画像形成システムが高速走査、高精度走査、低散乱走査又は他の異なるタイプの走査の複合モードを完了するように寄与することができる。
【００５３】
出願番号が200910022100.3である中国特許文献に開示されるようには、散乱線分布が正態分布に近似するものと捉えられている。一次元である場合に、1本のナロービームX線が被写体を通過した後、x方向の各位置における射線（直射線と散乱線を含む）の強度分布は式（1）に示される。
0006759207.tif 000002
【００５４】
その中、σは、被写体の特性を示し、大きさがその密度及び厚さによって決まり、uは、ナロービームX線のx方向の位置を示す。
【００５５】
図19を参照して、焦点からの直射X線が光子計数検出器モジュールに投射される時に、散乱線が形成され、散乱線分布図が形成されている。そのうち、中心位置のブラックブロックは中心X線投影領域であり、信号収集領域として焦点からの直射線を収集する。中心位置周辺の円形によって代表された領域は、散乱線分布領域である。散乱線は主に該領域に分布している。収集した画像の品質を確保するために、散乱線に対して一定の処理を行う必要がある。
【００５６】
走査X線源及び光子計数検出器の作動タイミングを制御することによって、一定のタイミングに応じて走査する走査X線源と、収集位置を制御可能な光子計数検出器とを採用することで、ある瞬間で十分小さい領域だけでX線を露光させることが確保される。なお、この領域だけの光子計数検出器の画素が収集状態にあるのに対して、他の光子計数検出器の画素領域が応答しない状態にある。このように、散乱線が有効な収集領域に対してなす貢献が大いに小さくなる。理論上は、X線が単一の画素だけに向けて、この単一の画素だけが収集状態にある時に、散乱線による貢献が零に近づいている。
【００５７】
上記原理から分かるように、収集領域面積が小さいほど、散乱線による貢献率も小さくなる。1時刻あたりに単一の画素又は小さい領域だけで方向性のあるX線を収集するのに対して、他の領域でX線を収集しないという条件を満たした場合に、他の方向のX線から発され有効な収集画素に影響をもたらす散乱成分がほぼ零であるので、収集領域の画素又は単一の有効な画素が収集した信号は、完全に直射線によるものである。
【００５８】
上記原理に基づいて、本発明は、以下の4種類の走査タイミング制御モード及びこれらタイミング制御モードに対応する走査制御方式を提供している。具体的に、図20A〜図20C及び図21A〜図21Dを参照してもよい。以下の具体的な実施例では、その中の各リング状走査X線源における1つの収集領域が4*8（行*列）個のアライメント穴を有し、4*8個のアライメント穴の全てが特定の光子計数検出器モジュールに照準していると仮設される。実際に適用する場合、複数種類の走査X線源のアライメント穴を設計してもよい。例えば、64*256個のアライメント穴によって、高密度のナロービームの多重露光が実現可能であり、より高い空間解像度を得ることができる。しかし、このように一定の速度が犠牲になる必要がある。
【００５９】
図20Aを参照して、第1の走査タイミング制御モードでは、走査X線源が高速走査モードで作動する。この場合、走査タイミングコントローラーは走査モードレジスタと協働して、16個の走査X線源における右側の8個が作動するように時分割で制御し、各作動中の走査X線源がポイントバイポイント又はラインバイラインで発射するタイミングを採用すると同時に、対応する光子計数検出器画素が毎回に1つのアライメント穴から発されたナロービームX線の露光情報を収集するように制御する。最終的な走査結果は図20Aの下段部分を参照する。1層あたりに256ポイントで合計64層の走査X線源要素マトリクス（つまり64*256個のアライメント穴）にとって，走査周波数が25KHz（実際に適用する場合、走査周波数は10〜200KHz範囲内に設定されてもよい）であると、1層あたりの走査時間が256*（1/25000）＝0.01024、走査速度が25000/256＝97.6fps（framespersecond，毎秒のフレーム数）となり、つまり、0.01024秒で256ポイントにおけるナロービームX線の露光及び収集（256/25000＝0.01024）が完了し、64層の要素マトリクスで走査を完了させる時間が（256*64）/25000＝0.65536秒であり、すなわち、64層に亘った走査に所要な時間が0.01024秒*64＝0.65536秒である。この時間帯内に8組の走査X線源の完全な露光情報を並列して完了させた。他の8組の走査X線源も同様な時間で露光情報の全ての走査を完了させる必要があるため、1つの完全なブロックの走査時間が0.65536*2＝1.31072秒である。完全なブロックの走査速度が1/1.31072＝0.7629vps（Volume per second，毎秒で処理したブロック数）である。ここでいうブロックとは、1つの三次元データブロック（Data Block）をいう。各ブロックが複数のボクセル（Voxel）からなっている。
【００６０】
このような走査方式は現在の64列の扇形ビームCTの走査速度と等価であるが、より高いSN比、より低い回転スミア効果、より低いX線線量及びより鮮明の画像品質を有する。4*8組のアライメント穴を採用すると、走査速度は、64*256組のアライメント穴と比べて512倍引き上げることができる。1つの完全なブロックの走査を完了する時間が1.31072/512＝0.00256秒である。毎秒で390個の完全なブロックを処理することができる。このような走査方式でも、64列の扇形ビームCTが4回ライングフォーカルスポット（Flying Focal Spot、FFSと略称）の走査を条件にして空間をカバーする密度と等価であるが、走査速度が大幅に引き上げられた。検出器の密度をさらに高めるために、より高い空間識別能力及び等価となる走査列数を取得することができる。ナロービームX線の多重の投影・露光がFFSのサンプリングと等価であるので、64列の画素の検出器モジュールが4*8回FFSの解像度を取得し、64列の4回FFSを実現し、256列の走査効果を直接奏することができる。64*256アライメント穴の走査X線源を採用すると、径方向において64列の64回FFSのサンプリングと等価であり、4096列の走査効果を奏し、円周において256回FFSの効果を奏し、円周方向における空間解像度を256倍引き上げることができる。
【００６１】
図20Bを参照して、第2走査タイミング制御モードでは、走査X線源が高精度走査モードで作動し、この場合、走査タイミングコントローラーは走査モードレジスタと協働して、16個の走査X線源が作動するように時分割で制御し、1ポイントおきに飛び越してかつラインバイラインで発射するタイミングを採用すると同時に対応する光子計数検出器画素を制御し、1ポイントおきに飛び越してかつラインバイラインでナロービームX線の露光情報を収集し、つまり、1ライン目の収集番号が奇数となる画素の露光情報、2ライン目の収集番号が偶数となる画素の露光情報を収集する。走査タイミングコントローラーは、X線源からナロービームX線を発射するタイミングと光子計数検出器のタイミングとを制御する。最終的な走査結果は図20Bの下段部分を参照する。1層あたりに256点で合計64層の走査X線源要素マトリクスにとって、1ポイントおきに飛び越して走査する場合の1層あたりの走査時間が128*（1/25000）＝0.00512秒、走査速度が25000/128＝195fps、64層をラインバイラインで走査する要素マトリクスの時間が（128*64）/25000＝0.32768秒である。8/16個の走査X線源を採用して並列で作動し、ブロック全ての収集を完了する時間が0.32768*2＝0.65535秒である。
【００６２】
同じ理由で、走査X線源が4*8個のアライメント穴を採用すると、走査速度がこれに基づいて64倍引き上げられた。4*8個のアライメント穴が径方向での4回のFBS走査(4倍引き上げられた検出器の画素密度と等価)と円周での8回のFFS走査(8倍引き上げられた検出器の画素密度と等価)を実現でき、それぞれ4倍及び8倍のデータ量を増加した。
【００６３】
図20Cを参照して、第3の走査タイミング制御モードでは、走査X線源が低散乱モードで作動し、この場合、走査タイミングコントローラーは、走査モードレジスタと協働して、16個の走査X線源における4個が同期に作動するように時分割で制御し、4回にわたって走査して1つの円周ブロックのデータ収集を完了し、１ポイント又は１ラインおきに飛び越して発射するタイミングを採用すると同時に対応する光子計数検出器画素を制御し、１ポイント又は１ラインおきに飛び越すようにナロービームX線の露光情報を収集し、即ち、1ライン目の収集番号が奇数となる画素の露光情報、2ライン目の収集番号が偶数となる画素の露光情報を収集する。走査タイミングコントローラーは、X線源から発射されるナロービームX線及び光子計数検出器のタイミングを制御する。最終的な走査結果は図20Cの下段部分を参照する。1層あたりに256点で合計64層の走査X線源要素マトリクスにとって、走査周波数が25KHzであると、１ポイントおきに飛び越して走査する場合の1層あたりの走査時間が128*（1／25000）＝0.00512秒であり、走査速度が25000/128＝195fpsであり、１ラインおきに飛び越して走査すると、32層の時間だけが必要となり、実際の走査時間が（128*32）／25000＝0.16384秒である。8/16個の走査X線源が並列して作動すると、ブロック全ての収集を完了する時間が0.16384*2＝0.32768秒である。
【００６４】
同じ理由で、4*8個のアライメント穴の走査X線源を採用すると、径方向において4回のFFSと等価で、円周において8回のFFSと等価で、前記の64*256のアライメント穴の走査X線源と比べてデータ収集レートを64倍引き上げることができる。
【００６５】
また、図21A〜図21Dに示されるように、走査X線源は走査タイミングコントローラーの制御によって、複数種類の走査を組合せて完了し、適用する場合の異なるニーズを満たすことができる。例えば、16組の走査X線源が同期に並列して作動してもよいし、8組＋8組に分けて2回にわたって完了してもよいし、4組で4回にわたって完了してもよいし、ラインバイラインで走査してもよいし、１ラインおきに飛び越して走査してもよいし、複数ラインおきに飛び越して走査してもよいし、ポイントバイポイントで走査してもよいし、１ポイントおきに飛び越して走査してもよいし、複数ポイントおきに飛び越して走査してもよい。これら異なる走査の組合せ方式は、例えば、図21Aに示される急速の高精度モード、図21Bに示される高精度の低散乱モード、図21Cに示される低散乱の精密走査モード、図21Dに示される急速のリアルタイム走査モード等の、同静態リアルタイムCT画像形成システムの異なる作動モードを構成している。これら走査の組合せ方式によれば、短点周波数が25KHzであるという条件（実際に、短点周波数を10〜200KHz程度としてもよい）の下で、異なる走査速度を実現してもよい。ここで、一々算出して説明しない。
【００６６】
説明すべき点では、本発明における光子計数検出器も、同じ機能を実現するために、積分型の検出器によって代替されてもよい。積分型の検出器による画像形成の効果が光子計数検出器に対して良くないが、積分型の検出器は、技術が成熟しているため、その機能も相対的に安定している。
【００６７】
本発明では、リング状に分布する走査X線源及び光子計数検出器、高速回転をなくした機械運動システムを採用し、システム構成全体としては、一般に適用する現在のCT画像形成システムと異なっている。その製造加工の難しさが大幅に低下し、CT画像形成システムの検出精度及び速度を顕著に引き上げることができる。X線ビームが順番に投射位置を切り替えるように電子制御することで、伝統的な回転走査方式に代わって静態走査方式を利用し、走査速度を数十倍引き上げ、毎秒25回転以上の走査速度を実現でき、後の高速リアルタイム再構成システムに合わせて動態の三次元立体画像を得ることができ、伝統方式の機械高速回転モードにおける巨大な慣性を回避することができる。リアルタイム再構成速度が毎秒25個のブロックに達するので、このようなCT画像形成システムを介入治療手術に適用する可能性が確保された。また、ナロービームX線を小い光子計数検出器の面積に投射するので、散乱線の信号への干渉を大幅に低減し、低い線量で高いSN比を得ることができる。
【００６８】
上記を纏め、本発明から提供される静態リアルタイムCT画像形成システムは、伝統的なCT画像形成システムに対して十分の一の放射線量で一層優れたリアルタイム画像を得ることができ、患者がより安全な線量でより精確な診断を受けることが可能となる。
【００６９】
以上、本発明から提供される静態リアルタイムCT画像形成システム及びその画像形成制御方法について詳細に説明した。当業者にとって、本発明の趣旨を逸脱しない前提でいかなる自明な変更がなされても、本発明の特許権侵害を構成してそれに応じて法的責任を負うものとする。
【図１】
0006759207.tif 000003
【図２】
0006759207.tif 000004
【図３Ａ】
0006759207.tif 000005
【図３Ｂ】
0006759207.tif 000006
【図４】
0006759207.tif 000007
【図５】
0006759207.tif 000008
【図６】
0006759207.tif 000009
【図７】
0006759207.tif 000010
【図８】
0006759207.tif 000011
【図９】
0006759207.tif 000012
【図１０】
0006759207.tif 000013
【図１１】
0006759207.tif 000014
【図１２】
0006759207.tif 000015
【図１３】
0006759207.tif 000016
【図１４】
0006759207.tif 000017
【図１５】
0006759207.tif 000018
【図１６】
0006759207.tif 000019
【図１７】
0006759207.tif 000020
【図１８】
0006759207.tif 000021
【図１９】
0006759207.tif 000022
【図２０Ａ】
0006759207.tif 000023
【図２０Ｂ】
0006759207.tif 000024
【図２０Ｃ】
0006759207.tif 000025
【図２１】
0006759207.tif 000026